(57)【要約】【課題】装置本体の省エネモード状態に対応して、適切な表示制御を行うことができる印刷装置を提供すること目的とする。【解決手段】トレイに排出された用紙を検出するための用紙検知手段と、前記トレイで用紙が検出されている旨を表示する表示手段を備えた印刷装置であって、前記表示手段の表示を制御する制御手段、あるいは、前記表示手段を表示駆動する駆動手段のいずれか一方に、前記用紙検知手段の検出信号を切り替えて出力する切替手段を備えた。【選択図】        図１
2008012888.tif 000002
【特許請求の範囲】
【請求項１】
トレイに排出された用紙を検出するための用紙検知手段と、前記トレイで用紙が検出されている旨を表示する表示手段を備えた印刷装置であって、
前記表示手段の表示を制御する制御手段、あるいは、前記表示手段を表示駆動する駆動手段のいずれか一方に、前記用紙検知手段の検出信号を切り替えて出力する切替手段を備えたことを特徴とする印刷装置。
【請求項２】
前記切替手段は、省エネモード時には、前記用紙検知手段の検出信号を前記駆動手段へ出力し、非省エネモード時には、前記用紙検知手段の検出信号を前記制御手段を出力することを特徴とする請求項１記載の印刷装置。
【請求項３】
前記表示手段は、発光ダイオード素子であることを特徴とする請求項１または請求項２記載の印刷装置。
【請求項４】
前記用紙検知手段は、フォトインタラプタであることを特徴とする請求項１または請求項２または請求項３記載の印刷装置。
【発明の詳細な説明】
【技術分野】
【０００１】
本発明は、トレイに排出された用紙を検出するための用紙検知手段と、前記トレイで用紙が検出されている旨を表示する表示手段を備えた印刷装置に関する。
【背景技術】
【０００２】
従来より、複写機、プリンタ装置、ファクシミリ装置などの画像形成装置（印刷装置）において、排出トレイに画像形成済の用紙が排出されると、そのことをユーザーに知らせるために発光ダイオードなどの発光素子を点灯・点滅させる構成があることはよく知られている。
【０００３】
また、排出トレイ上の用紙の有無を検出する構成については、特許文献１などで考案されている。
【０００４】
さて、排出トレイに用紙が排出されたことを検出し、発光素子を点灯・点滅させる制御には２通りが考えられ、ひとつは排出トレイに用紙が排出されたことが検出されると、その情報を装置本体内のＣＰＵ（中央処理装置）で処理し、ＣＰＵが発光素子の点灯・点滅制御を行う構成、もうひとつが排出されたことが検出されるとその情報を直接発光素子へ伝達させる構成である。
【特許文献１】特開平８−２６５７２号公報
【発明の開示】
【発明が解決しようとする課題】
【０００５】
これら２つの方法にはそれぞれ１長１短があり、最初の構成だとＣＰＵで発光素子を制御するので、点灯・点滅などができ、さらに点滅間隔なども自在に制御することができる。
【０００６】
しかしながら省電力モード移行時などＣＰＵへの電源供給が停止される場合には発光素子の制御が出来なくなる。一方、後方の構成ではＣＰＵを介さないので省電力モード移行時でも発光素子を点灯させることができるが、構造が単純なため複雑な発光素子の制御を行うことが困難となる。
【０００７】
本発明は、かかる実情に鑑みてなされたものであり、装置本体の省エネモード状態に対応して、適切な表示制御を行うことができる印刷装置を提供すること目的とする。
【課題を解決するための手段】
【０００８】
本発明は、トレイに排出された用紙を検出するための用紙検知手段と、前記トレイで用紙が検出されている旨を表示する表示手段を備えた印刷装置であって、前記表示手段の表示を制御する制御手段、あるいは、前記表示手段を表示駆動する駆動手段のいずれか一方に、前記用紙検知手段の検出信号を切り替えて出力する切替手段を備えたものである。
【０００９】
また、前記切替手段は、省エネモード時には、前記用紙検知手段の検出信号を前記駆動手段へ出力し、非省エネモード時には、前記用紙検知手段の検出信号を前記制御手段を出力するようにしたものである。
【００１０】
また、前記表示手段は、発光ダイオード素子である。また、前記用紙検知手段は、フォトインタラプタである。
【発明の効果】
【００１１】
したがって、本発明によれば、装置本体が、省電力モード非移行時には発光素子を制御手段で制御し、省電力モード移行時には直接用紙検知手段で発光素子を点灯させるようにしているので、装置本体の電力モードに関わらずユーザーに排出トレイ上の用紙の有無を知らせることができるという効果を得る。
【発明を実施するための最良の形態】
【００１２】
以下、添付図面を参照しながら、本発明の実施の形態を詳細に説明する。
【００１３】
図１は、本発明の一実施例にかかる電子写真複写機の構成の概要を示している。この電子写真複写機は、複写物である記録用紙を複数のトレイに仕分けるソータ機能を備えている。
【００１４】
同図において、読み取り光学系１２０は、原稿に光を照射するための光源１２１、反射光を集光レンズ１２２に導くためのミラー群１２３、集められた反射光を読み取るための画像読み取り素子１２４と、光源１２１から発生する熱を外部に逃がすファン１２５から構成されている。
【００１５】
また、書込み光学系１３０は、発光光源１３１からの光をポリゴンミラー１３２で反射させ、レンズ群１３３で集光させ、ミラー１３４で反射させて、既に帯電チャージャ１３５により帯電されている感光体ドラム１３６の表面に導き、読み取り像に合った静電潜像を作成する。
【００１６】
この静電潜像は現像ローラ１３７で運ばれるトナーにより可視像化される。
【００１７】
一方、複数の給紙カセット１３８内にある印刷用紙が選択されて給紙ローラ１３９により給送され、上記感光体ドラム１３６の所定の位置まで給送され、上記感光体ドラム１３６の回転（矢印方向）にタイミングを合わせて移動し転写チャージャ１４０の働きで可視像化されたトナー像を印刷用紙に転写させた後、分離チャージャ１４１により印刷用紙に与えられた電荷を除電し印刷用紙を上記感光体ドラム１３６から分離させ、熱定着装置１４２によりトナー像を印刷用紙に熱定着させる。
【００１８】
また、印刷用紙にトナー像を転写した後の上記感光体ドラム１３６は、クリーニングユニット１４３により、表面に残ったトナーが除去され、次の感光、静電潜像に備える。
【００１９】
画像形成された印刷用紙は排紙ローラ１４４で搬送され、トレイセレクター１４５で決められた排出トレイ１０１のどれかに収納される。
【００２０】
また、排出トレイ１０１に用紙が入っているか否かについての状態等を検知するために検知手段１０２が付加されている。排出トレイ１０１に用紙が排出されると、検知手段１０２が用紙が存在することを知らせ、発光素子１５０が点灯または点滅する。
【００２１】
図２は、本発明の一実施例の要部構成説明図である。
【００２２】
用紙検知手段２１０と発光素子２１１は、切替回路２０８と接続されており、さらに切替回路２０８には回路切替信号２０９が接続されている。
【００２３】
また、切替回路２０８はＩＯ（ＩＮＰＵＴ／ＯＵＴＰＵＴ）回路部２０６へ接続されている。
【００２４】
ＩＯ回路部２０６には、ＩＯ制御用ＡＳＩＣ２０７が搭載されており、このＩＯ制御用ＡＳＩＣ２０７がＩＯ制御を司っている。
【００２５】
更に、ＩＯ回路図２０６はＣＰＵ回路図２０２と接続されており、ＣＰＵ回路部２０２は、主にＣＰＵ２０３、ＲＯＭ２０４、ＲＡＭ２０５から構成されている。
【００２６】
また、制御部２０１は、ＣＰＵ回路部２０２とＩＯ回路部２０６とから構成されている。
【００２７】
切替回路２０８の一例を図３に示す。
【００２８】
同図において、切替回路２０８は、主にセレクタ３０１，３０２、ドライバ３０３、インバータ３０４とから構成されている。
【００２９】
セレクタ３０１，３０２にはそれ自身用の電源入力端子及びＧＮＤ端子のほかに、信号入力端子・信号出力端子及び出力状態を決定する端子（通常ＯＥ端子：Ｏｕｔ  Ｅｎａｂｌｅ端子）が備わっている。
【００３０】
以下、セレクタ３０１，３０２の動作の概要を説明する。
【００３１】
通常、Ａｃｔｉｖｅ  Ｌｏｗのセレクタであれば、ＯＥ端子にＬレベルの信号が入力されると、出力端子からは入力端子と同じレベルの信号が出力される。
【００３２】
例えば、ＯＥ端子にＬレベルが入力され、入力端子にＨレベルが入力されていたとすると、出力端子にはＨレベルが出力される。
【００３３】
逆にＬレベルが入力されるとＬレベルが出力される。またＯＥ端子にＨレベルの信号が入力されると、出力は入力レベルに関係なくハイインピーダンスとなる。
【００３４】
例えばＯＥ端子にＨレベルが入力されていて、入力端子にＨレベルが入力されても出力はハイインピーダンスとなる。
【００３５】
以下、切替回路２０８の動作について説明を行う。
【００３６】
回路切替信号２０９はセレクタ３０２に繋がれており、更にインバータ３０４を介してセレクタ３０１に繋がっている。
【００３７】
回路切替信号２０９がＨレベルのときにはセレクタ３０１のＯＥ端子にはＬレベルが入力されることになり、よって出力はセレクタ３０１の入力、すなわちＩＯ回路部２０６の出力と同レベルとなる。
【００３８】
このときセレクタ３０２のＯＥ端子にはＨレベルが入力されるので出力はハイインピーダンスとなっている。
【００３９】
よって信号の流れとしては、用紙検知手段２１０からの信号情報はまずＩＯ回路部２０６へ入力され、さらにＣＰＵ回路部２０２へ入力され処理される。
【００４０】
処理された情報に基づきＣＰＵ回路部２０２からＩＯ回路図２０６へ発光素子２１１の制御信号が出力されドライバ３０３を介して発光素子２１１へ伝達される。
【００４１】
逆に回路切替信号２０９がＬレベルのときには、セレクタ３０１の出力はハイインピーダンスとなり、セレクタ３０２の出力は入力と同じレベル、すなわち、用紙検知手段２１０の出力と同レベルになる。
【００４２】
このときセレクタ３０２の出力信号は、ドライバ３０３を介して発光素子２１１へ伝達される。
【００４３】
ここでは、ドライバ３０３を用いて発光素子２１１をドライブするような構成としているが、セレクタ３０１,３０２でドライブ可能であれば、ドライバ３０３を省いても問題ない。
【００４４】
以上説明したように、回路切替信号２０９の信号レベルにより用紙検知手段２１０が検知した紙の有無情報を制御部２０１を介して発光素子２１１へ伝達するか否かを決定することができる。
【００４５】
例えば、回路切替信号２０９が省電力モードの状態で決定されるのであれば、省電力モード非移行時には回路切替信号２０９がＨレベル、省電力モード移行時には回路切替信号２０９がＬレベルだとすれば、省電力モード非移行時には用紙検知手段２１０が検知した紙の有無情報を制御部２０１を介して発光素子２１１へ伝達させ、省電力モード移行時には用紙検知手段２１０が検知した紙の有無情報を制御部２０１を介さず直接発光素子２１１へ伝達させることができる。
【００４６】
図４は、図３の用紙検知手段２１０にフォトインタラプタ４１０を、また、発光素子２１１として発光ダイオード４１１を使用した場合のブロック図である。なお、同図において、図３と同一部分および相当する部分には、同一符号を付してその説明を省略する。ここではフォトインタラプタ４１０は反射型のものだとして説明を行う。
【００４７】
フォトインタラプタ４１０内に搭載されているフォトトランジスタのコレクタはセレクタ３０２及びＩＯ回路図２０６の入力に接続されていて、エミッタはＧＮＤへ接続されている。またコレクタ部は抵抗を介して電源（＋５ＶＥ）でプルアップされている。
【００４８】
このような構成において、フォトインタラプタ４１０の発光・受光面に用紙がある場合には、フォトインタラプタ４１０内の発光ダイオードの光が用紙表面で反射しフォトトランジスタへ入射し、フォトトランジスタがＯＮになる。
【００４９】
これによりコレクタとエミッタが導通した状態となり、セレクタ３０２及びＩＯ回路部２０６の入力はＬレベルとなる。逆に用紙がない場合にはフォトトランジスタに発光ダイオード光が入射しないことからフォトトランジスタはＯＦＦ状態となり、セレクタ３０２及びＩＯ回路図２０６の入力はＨレベルとなる。
【００５０】
回路切替信号２０９がＨレベルの場合は、フォトインタラプタ４１０の出力はＩＯ回路部２０６へ入力され、その後、ＣＰＵ回路部２０２へ伝達されＣＰＵ２０３で処理された後、再びＩＯ回路部２０６を介して発光ダイオード４１１へ伝達される。
【００５１】
回路切替信号２０９がＬレベルだった場合にはフォトインタラプタ４１０の出力は直接発光ダイオード４１１へと伝達される。このときフォトトランジスタ４１０の発光・受光部に紙があった場合には、発光ダイオード４１１が点灯し、紙がない場合には発光ダイオード４１１が点灯しない。
【００５２】
図５は、図４の回路切替信号２０９として制御部駆動用電源４１２を用いた場合のブロック図である。なお、同図において、図３，４と同一部分および相当する部分には、同一符号を付してその説明を省略する。
【００５３】
制御部駆動用電源４１２を回路切替信号２０９として使用することにより、省電力モード移行／非移行時の電源状態から自動的に回路切替信号２０９を生成することができる。
【００５４】
この場合、フォトインタラプタ４１０、発光ダイオード４１１、セレクタ３０１,３０２、及びインバータ３０４の電源は省電力モード移行時でも供給が停止されない電源であることが必要となる。
【００５５】
以上のように、本発明によれば、制御部が動作していても、動作していなくても回路切替信号２０９を切り替えることにより発光素子の点灯・点滅制御を行うことができる。また、省電力モード移行時（制御部の電源が停止した状態）でも発光素子の点灯・消灯を制御することができるので、装置使用者は装置が省電力モードになっていたとしても用紙の有無を知ることができる。
【００５６】
図６は、本発明の他の実施例の要部構成説明図である。なお、同図において、図１と同一部分および相当する部分には、同一符号を付している。
【００５７】
用紙検知手段２１０−ａ，２１０−ｂと発光素子２１１−ａ，２１１−ｂは切替回路２０８と接続されており、さらに切替回路２０８には回路切替信号２０９が接続されている。
【００５８】
また、切替回路２０８はＩＯ（ＩＮＰＵＴ／ＯＵＴＰＵＴ）回路部２０６へ接続されている。ＩＯ回路部２０６にはＩＯ制御用ＡＳＩＣ２０７が搭載されており、このＩＯ制御用ＡＳＩＣ２０７がＩＯ制御を司っている。
【００５９】
更に、ＩＯ回路部２０６はＣＰＵ回路部２０２と接続されており、ＣＰＵ回路部２０２は主にＣＰＵ２０３、ＲＯＭ２０４、ＲＡＭ２０５から構成されている。
【００６０】
制御部２０１は、ＣＰＵ回路部２０２とＩＯ回路部２０６とから構成されている。
【００６１】
この構成において、用紙検知手段２１０−ａ，２１０−ｂの信号をＣＰＵ２０３で処理する場合の手順について説明する。
【００６２】
ここで、同一の用紙搬送路内に、用紙の流れる方向から順に用紙検知手段２１０−ａと用紙検知手段２１０−ｂがそれぞれ配置されているとする。
【００６３】
まず、用紙が搬送されその先端が用紙検知手段２１０−ａに到達すると、その情報がＣＰＵ２０３に送信される。その情報を受信したＣＰＵ２０３は、その瞬間からカウントを開始する。
【００６４】
そしてカウント開始からある一定の時間内に用紙検知手段２１０−ｂから用紙ありの情報が送信されると正常に用紙が用紙搬送路を搬送されていると判断し、ＣＰＵ２０３が発光素子２１１に正常動作時の発光素子の制御信号を出力する。
【００６５】
逆に、一定時間内に用紙検知手段２１０−ｂから用紙ありの情報が送信されないと、用紙がどこかに詰まり用紙検知手段２１０−ｂが用紙ありの情報を送信しないとして、紙詰まりと判断する。
【００６６】
すると、ＣＰＵ２０３が発光素子２１１に紙詰まり時の制御信号を出力し、その信号がＩＯ制御ＡＳＩＣ２０７を通して発光素子２１１に伝達され、発光素子が点灯・点滅する。
【００６７】
または、用紙の先端が用紙検知手段２１０−ａ，２１０−ｂに到達した瞬間からある一定時間以上、ずっと用紙検知手段２１０が用紙ありの情報を送信しつづけても、用紙検知手段２１０−１，２１０−ｂ付近で紙詰まりが発生したものと判断して紙詰まり時の発光素子の制御信号を出力する。
【００６８】
ここで、この紙詰まりが一定時間以上解消されないと、回路切替信号２０９が切り替わり、切替回路２０８を用紙検知手段２１０−１，２１０−ｂと発光素子２１１−ａ，２１１−ｂを直接接続する。この状態でＣＰＵ２０３の電源供給を停止したとしても発光素子は点灯することができる。
【００６９】
尚、ここでは用紙搬送路内に用紙検知手段２１０−ａ，２１０−ｂがある場合について説明を行ったが、用紙検知手段はこれだけに限らず、例えば用紙搬送路外にある場合でも構わない（例えば、用紙搬送路内に用紙があるときだけＯＮするような部品の動作を検出する）
【００７０】
図６の切替回路２０８をブロック図で示した例を図７に示す。なお、同図において、図６と同一部分および相当には同一符号を付して、その説明を省略する。
【００７１】
切替回路２０８は、主にセレクタ３０１、３０２、ドライバ３０３、インバータ３０４とから構成されている。
【００７２】
セレクタ３０１，３０２にはそれ自身用の電源入力端子及びＧＮＤ端子のほかに、信号入力端子・信号出力端子及び出力状態を決定する端子（通常ＯＥ端子：Ｏｕｔ  Ｅｎａｂｌｅ端子）が備わっている。
【００７３】
以下、セレクタ３０１，３０２の動作の概要を説明する。
【００７４】
通常、Ａｃｔｉｖｅ  Ｌｏｗのセレクタであれば、ＯＥ端子にＬレベルの信号が入力されると、出力端子からは入力端子と同じレベルの信号が出力される。
【００７５】
例えば、ＯＥ端子にＬレベルが入力され、入力端子にＨレベルが入力されていたとすると、出力端子にはＨレベルが出力される。
【００７６】
逆にＬレベルが入力されるとＬレベルが出力される。またＯＥ端子にＨレベルの信号が入力されると、出力は入力レベルに関係なくハイインピーダンスとなる。
【００７７】
例えばＯＥ端子にＨレベルが入力されていて、入力端子にＨレベルが入力されても出力はハイインピーダンスとなる。
【００７８】
以下、切替回路２０８の動作について説明を行う。
【００７９】
回路切替信号２０９はセレクタ３０２に繋がれており、更にインバータ３０４を介してセレクタ３０１に繋がっている。
【００８０】
回路切替信号２０９がＨレベルのときにはセレクタ３０１のＯＥ端子にはＬレベルが入力されることになり、よって出力はセレクタ３０１の入力、すなわちＩＯ回路部２０６の出力と同レベルとなる。
【００８１】
このときセレクタ３０２のＯＥ端子にはＨレベルが入力されるので出力はハイインピーダンスとなっている。
【００８２】
よって信号の流れとしては用紙検知手段２１０−ａ，２１０−ｂからの信号情報はまずＩＯ回路部２０６へ入力され、さらにＣＰＵ回路部２０２へ入力され処理される。
【００８３】
処理された情報に基づきＣＰＵ回路部２０２からＩＯ回路図２０６へ発光素子２１１の制御信号が出力され、ドライバ３０３を介して発光素子２１１へ伝達される。逆に回路切替信号２０９がＬレベルのときには、セレクタ３０１の出力はハイインピーダンスとなり、セレクタ３０２の出力は入力と同じレベル、すなわち用紙検知手段２１０−ａ，２１０−ｂの出力と同レベルになる。
【００８４】
このときセレクタ３０２の出力信号はドライバ３０３を介して発光素子２１１−ａ，２１１−ｂへ伝達される。
【００８５】
ここでは、ドライバ３０３を用いて発光素子２１１−ａ，２１１−ｂをドライブするような構成としているが、セレクタ３０１，３０２でドライブ可能であれば省いても問題ない。
【００８６】
以上説明したように、回路切替信号２０９の信号レベルにより用紙検知手段２１０−ａ，２１０−ｂが検知した紙の有無情報を、制御部２０１を介して発光素子２１１−ａ，２１１−ｂへ伝達するか否かを決定することができる。
【００８７】
例えば、回路切替信号２０９が省電力モードの状態で決定されるのであれば、省電力モード非移行時には回路切替信号２０９がＨレベル、省電力モード移行時には回路切替信号２０９がＬレベルだとすれば、省電力モード非移行時には用紙検知手段２１０−ａ，２１０−ｂが検知した紙の有無情報を制御部２０１を介して発光素子２１１へ伝達させ、省電力モード移行時には用紙検知手段２１０−ａ，２１０−ｂが検知した紙の有無情報を制御部２０１を介さず直接発光素子２１１−ａ，２１１−ｂへ伝達させることができる。
【００８８】
図８は、図７の用紙検知手段２１０−ａ，２１０−ｂにフォトインタラプタ４１０−ａ，４１０−ｂを、発光素子２１１−ａ，２１１−ｂに発光ダイオード４１１−ａ，４１１−ｂを使用した場合のブロック図である。なお、同図において、図７，６と同一部分および相当には同一符号を付してその説明を省略する。
【００８９】
ここでは、フォトインタラプタ４１０−ａ，４１０−ｂは反射型のものだとして説明を行う。
【００９０】
フォトインタラプタ４１０−ａ，４１０−ｂ内に搭載されているフォトトランジスタのコレクタはセレクタ３０２及びＩＯ回路図２０６の入力に接続されていて、エミッタはＧＮＤへ接続されている。またコレクタ部は抵抗を介して電源（＋５ＶＥ）でプルアップされている。
【００９１】
このような構成において、フォトインタラプタ４１０−ａ，４１０−ｂの発光・受光面に用紙がある場合には、フォトインタラプタ４１０−ａ，４１０−ｂ内の発光ダイオードの光が用紙表面で反射しフォトトランジスタへ入射し、フォトトランジスタがＯＮになる。
【００９２】
これによりコレクタとエミッタが導通した状態となり、セレクタ３０２及びＩＯ回路部２０６の入力はＬレベルとなる。逆に用紙がない場合にはフォトトランジスタに発光ダイオード光が入射しないことからフォトトランジスタはＯＦＦ状態となり、セレクタ３０２及びＩＯ回路図２０６の入力はＨレベルとなる。
【００９３】
回路切替信号２０９がＨレベルの場合は、フォトインタラプタ４１０−ａ，４１０−ｂの出力はＩＯ回路部２０６へ入力され、その後ＣＰＵ回路部へ伝達されＣＰＵ２０３で処理された後、再びＩＯ回路部２０６を介して発光ダイオード４１１−ａ，４１１−ｂへ伝達される。回路切替信号２０９がＬレベルだった場合にはフォトインタラプタ４１０−ａ，４１０−ｂの出力は直接発光ダイオード４１１−ａ，４１１−ｂへと伝達される。このときフォトトランジスタ４１０−ａ，４１０−ｂの発光・受光部に紙があった場合には、発光ダイオード４１１−ａ，４１１−ｂが点灯し、紙がない場合には発光ダイオード４１１−ａ，４１１−ｂが点灯しない。
【００９４】
図９は、図８の回路切替信号２０９として制御部駆動用電源４１２を用いた場合のブロック図である。なお、同図において、図８と同一部分および相当する部分には同一符号を付して、その説明を省略する。
【００９５】
制御部駆動用電源４１２を回路切替信号２０９として使用することにより、省電力モード移行／非移行時の電源状態から自動的に回路切替信号２０９を生成することができる。
【００９６】
この場合、フォトインタラプタ４１０−ａ，４１０−ｂ、発光ダイオード４１１−ａ，４１１−ｂ、セレクタ３０１，３０２、及びインバータ３０４の電源は省電力モード移行時でも供給が停止されない電源であることが必要となる。
【００９７】
なお、上述した実施例では、本発明を電子写真複写機について適用した場合について説明したが、本発明は、同様の印刷機能を備えた装置について、同様にして適用することができる。
【図面の簡単な説明】
【００９８】
【図１】本発明の一実施例にかかる電子写真複写機の構成の概要を示したブロック図。
【図２】本発明の一実施例の要部構成説明図（ブロック図）。
【図３】切替回路２０８の一例を示したブロック図。
【図４】図３の用紙検知手段２１０にフォトインタラプタ４１０を、また、発光素子２１１として発光ダイオード４１１を使用した場合を示したブロック図。
【図５】図４の回路切替信号２０９として制御部駆動用電源４１２を用いた場合を示したブロック図。
【図６】本発明の他の実施例の要部構成説明図（ブロック図）。
【図７】図６の切替回路２０８の一例を示したブロック図。
【図８】図７の用紙検知手段２１０−ａ，２１０−ｂにフォトインタラプタ４１０−ａ，４１０−ｂを、発光素子２１１−ａ，２１１−ｂに発光ダイオード４１１−ａ，４１１−ｂを使用した場合を示したブロック図。
【図９】図８の回路切替信号２０９として制御部駆動用電源４１２を用いた場合を示したブロック図。
【符号の説明】
【００９９】
２０１  制御部
２０８  切替回路
２１０，２１０−ａ，２１０−ｂ  用紙検知手段
２１１，２１１−ａ，２１１−ｂ  発光素子
【図１】
2008012888.tif 000003
【図２】
2008012888.tif 000004
【図３】
2008012888.tif 000005
【図４】
2008012888.tif 000006
【図５】
2008012888.tif 000007
【図６】
2008012888.tif 000008
【図７】
2008012888.tif 000009
【図８】
2008012888.tif 000010
【図９】
2008012888.tif 000011